(57)【要約】【課題】手摺用連結部材において、簡易な構成により低コストかつ施工容易とするとともに、充分な連結力を実現して手摺の安全性を確実にする。【解決手段】基端部に一方の手摺端部に取り付ける手摺接合部３ａを有し先端部に連結部３ｂを有する雄連結部材３と、基端部にもう一方の手摺端部に取り付ける手摺接合部２ａを有し先端部に雄連結部材３の連結部３ｂが挿入される連結孔２ｂを有する雌連結部材２とを備え、雌連結部材２が、手摺接合部に手摺端部の端面に設けられる略円板状の係止板４を有して手摺端部軸線周りに回動自在に取り付けられ、止めネジ１１で雌連結部材２の外周から径方向に雄連結部材３の連結部３ｂを貫通させて両連結部材を固定することにより、両手摺端部を連結する手摺用連結部材１とする。【選択図】        図３
2004232216.tif 000002
【特許請求の範囲】
【請求項１】
互いに対向して配置される手摺の端部同士を連結する手摺用連結部材であって、基端部に一方の手摺端部に取り付ける手摺接合部を有し先端部に連結部を有する雄連結部材と、基端部にもう一方の手摺端部に取り付ける手摺接合部を有し先端部に前記雄連結部材の連結部が挿入される連結孔を有する雌連結部材とを備え、前記両連結部材のうち少なくとも一方が、手摺接合部に手摺端部の端面に設けられる略円板状の係止板を有して手摺端部軸線周りに回動自在に取り付けられ、止めネジで前記雌連結部材の外周から径方向に前記雄連結部材の連結部を貫通させて前記両連結部材を固定することにより、前記両手摺端部を連結することを特徴とする手摺用連結部材。
【請求項２】
前記雄連結部材の連結部が略円柱状であるとともに、前記雌連結部材が略円筒状である請求項１記載の手摺用連結部材。
【請求項３】
前記雄連結部材の連結部外周に、先端部から長さ方向に係止溝が設けられるとともに、前記雌連結部材の連結孔内壁に前記連結部の係止溝に係合する突起が突設されて、連結状態で前記雌連結部材と前記雄連結部材の相対的な回動が規制されるとともに、前記雌連結部材外周のネジ孔の軸線と前記雄連結部材の連結部を貫通するネジ孔の軸線とが一致する、請求項２記載の手摺用連結部材。
【発明の詳細な説明】
【０００１】
【発明の属する技術分野】
本発明は、階段や廊下等に配置される手摺の端部同士を連結する手摺用連結部材に関する。
【０００２】
【従来の技術】
手摺の端部同士を連結する部材としては、一方の手摺端面に雄ネジを有する部材を装着して、他方の手摺端面に雌ネジを有する締結リングを回動自在に装着して、この雌ネジに雄ネジを螺合させることにより、両手摺端部同士を連結する部材が汎用されている。また、特開平１１−１００９６７号公報には、円筒状の継手本体を一方の手摺端面に装着したディスクに回動自在に設け、反対側の継手本体の挿入孔に他方の手摺端部を挿入して、ネジを継手本体の外周面から径方向に手摺端部に食い込むまでねじ込んで、連結する連結部材が提示されている。
【０００３】
しかし、雌雄ネジを用いた連結部材は、連結が手摺の軸線に沿う一対のネジのみによるものであって結合力が充分でないため、ガタつきやすく安定性に欠けるものである。また、締結リングが回動自在であるため、使用中にこれが緩んで両手摺の連結が脱落する心配もあり、特に高所等で用いる場合には安全性が問題となりやすい。また、円筒状の継手を用いた連結部材においても、手摺端部を一本のネジにより径方向から一点だけで固定するのみでは、上記同様に連結力が弱く、安定性が充分ではない。
【０００４】
これに対し、特開２０００−５４５８５号公報において、一方の手摺端部に固定した雄継手と、他方の手摺端部に雌継手を回動自在に設けたホルダーを固定して、雄継手の軸部を雌継手に挿入する際に、雌継手の軸部受け穴内の突起を軸部の円弧溝に係合させるとともに、雌継手の外周から留めネジを用いて軸部の他の円弧溝に係合させる手摺継手具が提示されている。
【０００５】
この手摺継手具は、雌継手において突起及び留めネジの二点で雄継手の軸部を係止するため、先述の継手より結合力が強いものである。しかしながら、この継手における結合は、突起と留めネジ先端による二点係止ではあるものの、斯かる係止部分が極めて小さな部材による浅い係止状態であるため、外力に対する堅牢さは充分ではない。即ち、連結部分に人が強く体重をかけた場合、係合部分が脱落する心配がある。また、この継手は、構成する各部材の形状が複雑であり、微細な加工が必要となって製作コストが高くなる。さらに、突起と止めネジの先端を軸部表面の微細な切欠に一致させて円弧溝に誘導させるのも容易ではない。
【０００６】
【発明が解決しようとする課題】
本発明は、上記のような問題点を解決しようとするものであり、手摺用連結部材において、簡易な構成により低コストかつ施工容易とするとともに、充分な連結力を実現して手摺の安全性を確実にすることを課題とするものである。
【０００７】
【課題を解決するための手段】
そこで、本発明は、互いに対向して配置される手摺の端部同士を連結する手摺用連結部材であって、基端部に一方の手摺端部に取り付ける手摺接合部を有し先端部に連結部を有する雄連結部材と、基端部にもう一方の手摺端部に取り付ける手摺接合部を有し先端部に前記雄連結部材の連結部が挿入される連結孔を有する雌連結部材とを備え、前記両連結部材のうち少なくとも一方が、手摺接合部に手摺端部の端面に設けられる略円板状の係止板を有して手摺端部軸線周りに回動自在に取り付けられ、止めネジで前記雌連結部材の外周から径方向に前記雄連結部材の連結部を貫通させて前記両連結部材を固定することにより、前記両手摺端部を連結することを特徴とする手摺用連結部材とした。
【０００８】
これにより、止めネジを雌連結部材の外周から雄連結部材の連結部を貫通させて両連結部材を連結・固定することができるため、簡易な構成であっても両手摺端部を堅固に連結することができる。また、各部材の構成は微細な部分がなく単純であるため、製作コストが低廉であるとともに施工に手間もかからない。尚、例えば雌連結部材を回動自在とした場合に、雌連結部材に内装された係止板を固定した後でも、止めネジの外部露出部分の位置調整が容易であるが、特に雄連結部材の連結部外周上に２つのネジ孔開口部があるため、雄連結部材を大きく回転させなくても下寄りのネジ孔開口部に回動自在な雌連結部材のネジ孔開口部を合わせて止めネジをねじ込むことができるため、その位置調整が極めて容易となる。
【０００９】
また、前記雄連結部材の連結部を略円柱状にするとともに、前記雌連結部材を略円筒状にすれば、略円筒状の雌連結部材内部において、雄連結部材との連結部を最大限に大きくすることができるため、その連結をより堅牢とすることができる。尚、雄連結部材の円柱状の連結部内を空洞のない部材で製作すれば、斯かる連結はさらに堅牢となる。
【００１０】
さらに、前記雄連結部材の連結部外周に、先端部から長さ方向に係止溝を設けるとともに、前記雌連結部材の連結孔内壁に前記連結部の係止溝に係合する突起を突設して、連結状態で前記雌連結部材と前記雄連結部材の相対的な回動が規制されるとともに、前記雌連結部材外周のネジ孔の軸線と前記雄連結部材の連結部を貫通するネジ孔の軸線とが一致するにする。
これにより、連結部が円筒形で連結が相対的に回動自在な両連結部材の回動を規制することができるとともに、回動が規制された状態で両連結部材のネジ孔が一致して、そのまま止めネジを挿通・固定できるようになるため、ネジ孔合わせの手順が不要となって連結作業がさらに容易となる。
【００１１】
【発明の実施の形態】
次に、本発明の実施の形態について、図面を用いながら以下に詳細に説明する。
尚、異なる実施の形態であっても、同じ構成要素には同一の符号を付して説明する。
【００１２】
図１乃至図３は、本発明における好ましい実施の形態を示すものであり、図１は手摺用連結部材１を取付けた手摺１０ａ，１０ｂを連結前の状態であり、図２は連結した状態である。また、図３は手摺用連結部材１の分解斜視図である。
手摺用連結部材１は、手摺１０ｂの端部に取り付けた雄連結部材３を、手摺１０ａの端部に取り付けた係止板４により手摺の軸線周りに回動自在に係止された雌連結部材２内に挿入して、止めネジ１１により固定することで両手摺１０ａ，１０ｂの各端部を堅固に連結するものである。
【００１３】
雄連結部材３は、手摺１０ｂの端部を挿入して固定する挿入孔３ｄを設けた手摺接合部３ａ有し、その反対側には雌連結部材２内に挿入して互いに連結する略円柱状の連結部３ｂを有している。連結部３ｂの先端面には３つのネジ孔９，９，９が設けられて（図３）、３本の木ネジ８，８，８により雄連結部材３が手摺１０ｂ端部に堅固に固定されている（図１）。また、連結部３ｂの外周には、その延長方向に基端から先端まで係止溝３ｃ，３ｃが対角位置に対で設けられるとともに、ネジ孔５が径方向に貫通している。
【００１４】
係止板４は、図３に示すように円板状に形成され、その平面部に３つのネジ孔９，９，９が設けられ、３本の木ネジ８，８，８により手摺１０ａの端面に堅固に固定される（図１）。また、係止板４は、周面端部から径方向に雌連結部材２を回動自在に係止する係止フランジ４ａが突設されている。また、後述する雌連結部材２の内周に設けられた突起２ｃ，２ｃを通過させるための切欠４ｂ，４ｂ，４ｂ，４ｂが、外周を４等分する位置に設けられている。
【００１５】
雌連結部材２は、手摺の径より大きな外径を有する略円筒状であり、手摺挿入孔２ｅを設けた手摺接合部２ａを有して手摺１０ａ端部が挿入されるとともに、係止盤４の外径より僅かに大きな内径を有する連結孔２ｂを有する。また、連結孔２ｂと挿入孔２ｅとの境界位置に、手摺１０ａ端面に固定された係止板４の係止フランジ４ａに係止される係止フランジ２ｄが内設され、雌連結部材２が手摺１０ａの端部においてその軸線周りに回動自在に係止されている。
【００１６】
雌連結部材２の連結孔２ｂは雄連結部材３の連結部３ｂの外径より僅かに大きな内径を有する小径部と、その入り口付近において雄連結部材３の手摺挿接合部３ａの外径より僅かに大きくこれを挿入できる大径部を有しており、雄連結部材３がその手摺接合部３ａの一部を残した殆どが挿入されるようになっている。また、雌連結部材２の外周から止めネジ１１を挿入するネジ孔６ａが径方向に設けられるとともに、その延長線上の連結孔２ｂの内周にネジ受６ｂが設けられている。このネジ受６ｂの大径部寄り内壁にネジ１１の先端部が当接することにより、両連結部材が引き抜き方向に堅牢な構造となる。尚、図３に示すように、ネジ孔６ａ側にネジ山を設けるとともに、ネジ１１の基端側にこれに噛合するネジ山を設ければ、少ない回転数で止めネジ１１の取り外しができるようになる。
【００１７】
雌連結部材２の連結孔２ｂの小径部の入り口においては、径方向に突出した方形状の突起２ｃ，２ｃが対角位置に対で設けられ、前述の係止板４の各切欠４ｃ及び雄連結部材３の係止溝３ｃ，３ｃと一致する位置において、これら部材を通過させるようになっている。尚、この突起２ｃ，２ｃにより雄連結部材３と雌連結部材２とが相対的に係止され、手摺連結後において両連結部材が互いに回動しないで安定するようになっている。
【００１８】
また、突起２ｃ，２ｃにより誘導されて、雌連結部材２のネジ孔６ａ，ネジ受６ｂと雄連結部材３のネジ孔５の両開口部との位置（軸線）が合致するようになっているが、雄連結部材３の係止溝３ｃ，３ｃは対角に２箇所あるとともに、これに対し直角位置でネジ孔５が貫通しているため、雄連結部材２と雌連結部材３とを軸線周りに１８０度異なる位置で止めネジを挿入して連結できることから、雌連結部材２外周に露出したネジ孔６ａを下向きにするために要する雄連結部材２の回転角度は少ない。
【００１９】
次に、本実施の形態である手摺用連結部材１の扱い方法を説明する。
本説明では、手摺１０ａを先に壁に固定して、これに手摺１０ｂを連結して延長する場合を述べる。先ず、連結する手摺１０ａと手摺１０ｂを各々端部が向かい合うように用意する。そして、係止板４を切欠４ｂ，４ｂが突起２ｃ，２ｃに位置が合うようにして（図３参照）、雌連結部材２の連結孔２ｂに挿入する。すると、係止板４の係止フランジ４ａが雌連結部材２の係止フランジ２ｄに掛かって、係止板４が雌連結部材２内に係止される。
【００２０】
次に、雌連結部材２の挿入孔２ｅに、壁に固定された手摺１０ａの端部を挿入させて、その端面を係止板４の平面に密接させ、ネジ孔９，９，９から木ネジ８，８，８挿通させて、係止板４を手摺１０ａの端面に固定する。これにより、雌連結部材２は、手摺１０ａの端部にその軸線周りに回動自在に係止されるとともに、斯かる回動方向以外については手摺１０ａ端部に堅固に固定されることになる。
【００２１】
雄連結部材３は、その手摺接合部３ａの挿入孔３ｄに手摺１０ｂの端部を挿入させる。そして、連結部３ｂの先端平面部に設けたネジ孔９，９，９から木ネジ８，８，８を挿通させて、雄連結部材３を手摺１０ｂ端部に堅固に固定する。斯かる場合、ネジ孔５の２つの開口部のどちらかが下方に位置するように固定すると手摺１０ｂを回転させる角度が少なくなり、ネジ孔６ａの位置調整が容易となる。尚、ネジ孔６ａの位置調整を行うのは、美観を損なうネジ頭の露出部分を下に向けて目立たなくするためである。
【００２２】
次に雄連結部材３が取り付けられた手摺１０ｂを雌連結部材２が取り付けられた手摺１０ａの軸線に沿うように近接させ（図１）、雄連結部材２の係止溝３ｃ，３ｃの位置に雌連結部材２の突起２ｃ，２ｃが合致するように雌連結部材２を回動させて（図３参照）、雄連結部材３の連結部３ｂ先端が係止板４に当接するまで挿入させる（図２）。
【００２３】
雌連結部材２に雄連結部材３が挿入された状態においては、雌連結部材２の外周面のネジ孔６ａは、雄連結部材３のネジ孔５に一致する位置になっている。そこで、止めネジ１１をネジ孔６ａから挿入すると、その先端は雄連結部材３の連結部３ｂを貫通して雌連結部材２の連結孔２ｂ内周においてネジ孔６ａに対向するネジ受６ｂの入口に達し、止めネジを回転させることにより、止めネジ１１の基端部側のネジ山が雌連結部材２のネジ孔６ａのネジ山に噛合して、止めネジ１１の先端部がネジ受６ｂに挿入・係止され、雄連結部材３の連結部３ｂを挿入係止した状態で雌連結部材２に止めネジ１１が堅固に固定される。尚、ネジ山はネジ孔６ａにのみ切ってあるため、止めネジ１１の回転数は少なくてよいことから、作業に手間がかからない。そして、止めネジ１１の頭が露出しているネジ孔６ａ位置を真下に向ける微調整のため、雄連結部材３の取り付けられた手摺１０ｂを多少回転させて位置合わせをし、手摺１０ｂを壁に固定する。これで、両手摺１０ａ，１０ｂは互いに堅固に連結される。
【００２４】
以上に述べたように、手摺用連結部材１は、比較的簡易な構成であるため、施工が容易であるとともに、手摺連結後は、止めネジ１１が連結部分を貫通して両連結部材を固定するため、連結状態が極めて堅牢である。また、両手摺が固定された状態では雌連結部材２は回動しないため、安定性も高いとともに止めネジ１１の外部に露出したネジ頭部の位置が動かず、美観の点でも問題が生じにくい。
【００２５】
図４は、本発明における他の好ましい実施の形態である。図３の手摺用連結部材１の雌連結部材２のネジ孔６ａのネジ山をなくすとともに、連結孔２ｂのネジ受６ｂをネジ山が設けられたネジ孔６ｄにした雌連結部材２Ｂとして、止めネジ１１をネジ山が先端部に設けられた止めネジ１１ｂとした、手摺用連結部材２Ｂを示している。
この手摺用連結部材２Ｂは、ネジ１１ｂの先端部が雌連結部材２Ｂの連結孔２ｂ内壁に食い込んで噛合され、両連結部材はさらに強固に係止される。尚、この場合、ネジ孔６ｄは雌連結部材２の外周面まで貫通させない方が、美観上好ましい。
【００２６】
尚、本発明を実施するための最良の形態は以上の説明で十分に示したが、本発明はこれらに限定されるものではない。例えば、止めネジが雌連結部材をその外周面まで貫通するものであっても、ネジ先端部が雌連結部材の外面に沿って平滑な面を形成すれば、美観上問題はない。また、手摺横断面形状が円形でなくても、雌連結部材が回動可能であれば、各形状に合わせた手摺挿入部にすることで、本発明を実施することができる。
【００２７】
【発明の効果】
以上述べたように、本発明である手摺用連結部材により、簡易な構成で低コストかつ施工容易となった。また、これにより充分な連結力を実現して手摺の安全性を確実にすることができた。
【図面の簡単な説明】
【図１】本発明における好ましい実施の形態の側面図である。
【図２】本発明における好ましい実施の形態の側面図である。
【図３】図１における手摺用連結部材の分解斜視図である。
【図４】本発明における他の好ましい実施の形態の側面図である。
【符号の説明】
１，１Ｂ  手摺用連結部材、２，２Ｂ  雌連結部材、２ａ，３ａ  手摺接合部、２ｂ  連結孔、２ｃ  突起、２ｄ，４ａ  係止フランジ、２ｅ，３ｄ  挿入孔、３  雄連結部材、３ｂ  連結部、３ｃ  係止溝、４  係止板、４ｂ  切欠、５，６ａ，６ｂ，６ｃ，９  ネジ孔、６ｄ  ネジ受、８  木ネジ、１０ａ，１０ｂ手摺、１１，１１ｂ  止めネジ
【図１】
2004232216.tif 000003
【図２】
2004232216.tif 000004
【図３】
2004232216.tif 000005
【図４】
2004232216.tif 000006